(57)【特許請求の範囲】
【請求項１】
異なる容量種別の複数のポンプに対して、それぞれのポンプの運転／停止制御を行うポンプ台数制御装置であって、
前記複数のポンプから吐出された流体の流量を負荷値として検出する負荷検出手段と、
前記負荷検出手段により検出された負荷実績値を記憶する負荷実績記憶手段と、
前記負荷実績記憶手段に記憶された前日までの負荷実績値と前記負荷検出手段により検出された現在の負荷実績値に基づいて、所定時間後の負荷予測値を予測する負荷予測手段と、
現在の使用可能なポンプを判断する使用可能ポンプ判断手段と、
前記使用可能ポンプ判断手段により判断された使用可能ポンプの容量と、現在の負荷実績値または前記負荷予測手段により予測された負荷予測値に基づいて、負荷変動に見合った最適な次の起動／停止ポンプの容量種別を判断して決定するポンプ種別判断手段と、
前記ポンプ種別判断手段により決定された次の起動／停止ポンプの容量種別と前記使用可能ポンプ判断手段により判断された使用可能ポンプに関する起動／停止順序に基づいて、ポンプの容量別に設けられたＱ−Ｈ曲線を参照して起動／停止時の負荷レベルを決定してポンプ台数を制御する制御手段とを備え、
前記ポンプ種別判断手段は、大容量／小容量の２種類のポンプが使用可能な場合であって、現在の負荷実績値または前記負荷予測値が、運転可能な任意に設定されたポンプにおける予め設定された容量の優先範囲外になった場合、
現在の運転ポンプにおける最大吐出流量合計と小容量ポンプ１台の最大吐出流量との合計値が、前記負荷予測値以下の場合には、次起動／停止ポンプとして大容量ポンプを優先することと決定し、
現在の運転ポンプにおける最大吐出流量合計から大容量ポンプ１台の最大吐出流量を減算した値が、前記負荷予測値よりも小さい場合には、次起動／停止ポンプとして小容量ポンプを優先し、
現在の運転ポンプにおける最大吐出流量合計と小容量ポンプ１台の最大吐出流量との合計値が、前記負荷予測値以上の場合には、次起動／停止ポンプとして小容量ポンプを優先することと決定し、
現在の運転ポンプにおける最大吐出流量合計から大容量ポンプ１台の最大吐出流量を減算した値が、前記負荷予測値以上の場合には、次起動／停止ポンプとして大容量ポンプを優先することと決定することを特徴とするポンプ台数制御装置。
【請求項２】
前記ポンプ種別判断手段は、現在の負荷実績値または前記負荷予測値が、運転可能な任意に設定されたポンプにおける予め設定された容量の優先範囲内である場合、
１台の大容量ポンプのみが可変速ポンプである場合、前記優先範囲内では、この大容量ポンプを最低１台運転することとし、
大容量ポンプ／小容量ポンプ共に可変速ポンプであって、現在の負荷実績値が、小容量ポンプ１台の最大吐出流量以下の場合には、次起動／停止ポンプとして小容量ポンプを優先することと決定し、
大容量ポンプ／小容量ポンプ共に可変速ポンプであって、現在の負荷実績値が、小容量ポンプ１台の最大吐出流量以上であり、かつ、大容量ポンプ１台の最大吐出流量以下である場合には、次起動／停止ポンプとして大容量ポンプを優先することと決定することを特徴とする請求項１に記載のポンプ台数制御装置。
【請求項３】
前記負荷予測手段は、
現在の時刻に関する前日までの負荷実績値と現在の時刻から所定時間後の負荷実績値の移動平均値を算出して、この移動平均値と現在の負荷実績値に基づいて、一定時間後の負荷予測値を予測することを特徴とする請求項１または２に記載のポンプ台数制御装置。
【請求項４】
前記負荷予測手段は、
日にち方向の相関係数を用いて前日の移動平均値を補正し、現在の時刻における時間方向の相関係数を用いて現在の負荷実績値を補正することを特徴とする請求項３に記載のポンプ台数制御装置。
【発明の詳細な説明】
【０００１】
【発明の属する技術分野】
本発明は、配水池から同一配管網に配水する上水道システムに利用されるポンプ台数制御装置に関する。
【０００２】
【従来の技術】
一般に、市町村には配水池が設置されており、この配水池から同一の配管網に配水し、需要者の要求に応えるような上水道システムが採用されている。ここで、配水場は対象流域から流下されてくる水を浄化した後に配水池を経て配水ポンプを用いて配管網に配水する役割をもっている。
【０００３】
この配水池には排水設備機器を制御するためのポンプ台数制御装置が備えられており、昼間と夜間の水需要の相違から、次のような制御が行われている。すなわち、配水池には複数の容量が異なる配水ポンプが備えられており、同一配水網に配水を行う場合、従来のポンプ台数制御装置では、昼間と夜間の時間帯に応じ、或いは配水流量低下に伴う圧力上昇に応じて、固定順序もしくは負荷レベルによる配水ポンプの組み合わせ（レベル制御）での台数制御を行っている。
【０００４】
【発明が解決しようとする課題】
このような従来のポンプ台数制御装置にあっては、負荷が安定した時間帯であっても、配水ポンプを増台すべき負荷レベルまたは減台すべき負荷レベル（以下、増／減台レベルという）に達した場合に、負荷に対応する台数目もしくは負荷レベルに応じてポンプを選択するため、必要負荷変動に見合ったポンプの運転／停止制御とはならず、効率よい運転ができない場合がある。
【０００５】
また、レベル制御で大容量ポンプと小容量ポンプを交互に増台するような設定にすれば、消費電力の効率性だけを向上することができるが、複数のポンプに対応して頻繁な運転／停止制御を行うことになってしまう。
【０００６】
異なる容量のポンプが混在する配水池に対しては、以下のように固定順序もしくは負荷レベルによる機器組み合わせ（レベル制御）でのポンプ台数制御を行っている。
【０００７】
＜固定順序例＞
１台目      ；小１号
２台目      ；大１号
３台目      ；大２号
４台目      ；小２号
＜負荷レベルによる機器組み合わせ（レベル制御）例＞
負荷レベル１    ；小１台，大０台
負荷レベル２    ；小０台，大１台
負荷レベル３    ；小０台，大２台
負荷レベル４    ；小１台，大２台
このような台数制御では、負荷が安定した時間帯であっても、増／減台レベルに達した場合に、負荷に対応する台数目の号機もしくは負荷レベルに従ったポンプ選択となる。そのため、必要負荷変動に見合ったポンプの起動／停止制御とはならず、効率のよい運転ができない場合がある。
【０００８】
図５に示す「配水流量日変化」のように、日変動がほぼ一定の負荷であり、また２〜５時（Ｔａ），１２〜１６時（Ｔｂ），１９〜２２時（Ｔｃ）の時間帯では負荷変動が小さい時は、小容量ポンプの増／減台でまかう方が効率的である。一方、他の時間帯では負荷変動が大きい時は、大容量ポンプを増／減台した方が効率および追従性がよいことがわかる。
【０００９】
効率性だけを求めるのであれば、下記のように、
負荷レベル１    ；小１台，大０台
負荷レベル２    ；小０台，大１台
負荷レベル３    ；小１台，大１台
負荷レベル４    ；小０台，大２台
レベル制御により大容量ポンプと小容量ポンプを交互に増やす設定にすればよいが、負荷レベルが変化した時にポンプや制御機器を置き換える動作となり、頻繁に起動／停止を行うこととなってしまう。そのため、機械的に負担が大きくなり運用上好ましくないといった問題があった。
【００１０】
本発明は、上記に鑑みてなされたもので、その目的としては、負荷変動に対応する追従性がよく効率がよいポンプ運転を行うことができるポンプ台数制御装置を提供することにある。
【００１１】
【課題を解決するための手段】
請求項１記載の発明は、上記課題を解決するため、異なる容量種別の複数のポンプに対して、それぞれのポンプの運転／停止制御を行うポンプ台数制御装置であって、
前記複数のポンプから吐出された流体の流量を負荷値として検出する負荷検出手段と、
前記負荷検出手段により検出された負荷実績値を記憶する負荷実績記憶手段と、
前記負荷実績記憶手段に記憶された前日までの負荷実績値と前記負荷検出手段により検出された現在の負荷実績値に基づいて、所定時間後の負荷予測値を予測する負荷予測手段と、
現在の使用可能なポンプを判断する使用可能ポンプ判断手段と、
前記使用可能ポンプ判断手段により判断された使用可能ポンプの容量と、現在の負荷実績値または前記負荷予測手段により予測された負荷予測値に基づいて、負荷変動に見合った最適な次の起動／停止ポンプの容量種別を判断して決定するポンプ種別判断手段と、
前記ポンプ種別判断手段により決定された次の起動／停止ポンプの容量種別と前記使用可能ポンプ判断手段により判断された使用可能ポンプに関する起動／停止順序に基づいて、ポンプの容量別に設けられたＱ−Ｈ曲線を参照して起動／停止時の負荷レベルを決定してポンプ台数を制御する制御手段とを備え、
前記ポンプ種別判断手段は、大容量／小容量の２種類のポンプが使用可能な場合であって、現在の負荷実績値または前記負荷予測値が、運転可能な任意に設定されたポンプにおける予め設定された容量の優先範囲外になった場合、
現在の運転ポンプにおける最大吐出流量合計と小容量ポンプ１台の最大吐出流量との合計値が、前記負荷予測値以下の場合には、次起動／停止ポンプとして大容量ポンプを優先することと決定し、
現在の運転ポンプにおける最大吐出流量合計から大容量ポンプ１台の最大吐出流量を減算した値が、前記負荷予測値よりも小さい場合には、次起動／停止ポンプとして小容量ポンプを優先し、
現在の運転ポンプにおける最大吐出流量合計と小容量ポンプ１台の最大吐出流量との合計値が、前記負荷予測値以上の場合には、次起動／停止ポンプとして小容量ポンプを優先することと決定し、
現在の運転ポンプにおける最大吐出流量合計から大容量ポンプ１台の最大吐出流量を減算した値が、前記負荷予測値以上の場合には、次起動／停止ポンプとして大容量ポンプを優先することと決定することを要旨とする。
請求項２記載の発明は、上記課題を解決するため、前記ポンプ種別判断手段は、現在の負荷実績値または前記負荷予測値が、運転可能な任意に設定されたポンプにおける予め設定された容量の優先範囲内である場合、１台の大容量ポンプのみが可変速ポンプである場合、前記優先範囲内では、この大容量ポンプを最低１台運転することとし、大容量ポンプ／小容量ポンプ共に可変速ポンプであって、現在の負荷実績値が、小容量ポンプ１台の最大吐出流量以下の場合には、次起動／停止ポンプとして小容量ポンプを優先することと決定し、大容量ポンプ／小容量ポンプ共に可変速ポンプであって、現在の負荷実績値が、小容量ポンプ１台の最大吐出流量以上であり、かつ、大容量ポンプ１台の最大吐出流量以下である場合には、次起動／停止ポンプとして大容量ポンプを優先することと決定することを要旨とする。
【００１２】
請求項３に記載の発明は、上記課題を解決するため、前記負荷予測手段は、現在の時刻に関する前日までの負荷実績値と現在の時刻から所定時間後の負荷実績値の移動平均値を算出して、この移動平均値と現在の負荷実績値に基づいて、一定時間後の負荷予測値を予測することを要旨とする。
【００１３】
請求項４に記載の発明は、上記課題を解決するため、日にち方向の相関係数を用いて前日の移動平均値を補正し、現在の時刻における時間方向の相関係数を用いて現在の負荷実績値を補正することを要旨とする。
【００１４】
【発明の実施の形態】
以下、本発明の実施の形態を図面を参照して説明する。
【００１５】
図１は、本発明の一実施の形態に係るポンプ台数制御装置を適用可能なシステム構成を示す図である。
【００１６】
本システムには、浄化後の水を一時的に保持する配水池１１と、配水池１１に設けられ配水池水位ｈを検出するた水位計１２と、この配水池１１内の水を吸引して流量調整弁１９を介して配管２３に配水するｍ個の大容量ポンプ１５−１〜１５−ｍと、この配水池１１内の水を吸引して流量調整弁２１を介して配管２５に配水するｎ個の小容量ポンプ１７−１〜１７−ｎと、配管２３，２５が合流して配管２７から配管網に接続されている配管３１に流入する水の配水流量値Ｑｎ（ｔ）を検出する流量計２９と、配管３１に設けられ現在のポンプの吐出圧Ｈを検出する水圧計３０と、ポンプ台数制御装置３３とから構成されている。なお、本実施の形態では、運転可能なポンプのうちの任意に設定され１台をベース機と呼ぶこととする。
【００１７】
上述したポンプ台数制御装置３３は、使用可能機器判断処理部３５と、負荷予測処理部３７と、優先ポンプ種別判断処理部３９と、台数制御処理部４１とから構成されている。
【００１８】
使用可能機器判断処理部３５は、異なるポンプ容量毎に使用するポンプの優先順位（１台目，２台目，…，休止）を入力して設定する入力部３５ａと、大容量ポンプ１５−１〜１５−ｍ毎に使用する優先順位を記憶する大容量ポンプ優先順位設定記憶部３５ｂと、小容量ポンプ１７−１〜１７−ｎ毎に使用する優先順位を記憶する小容量ポンプ優先順位設定記憶部３５ｃと、大容量ポンプ優先順位設定記憶部３５ｂと小容量ポンプ優先順位設定記憶部３５ｃとによる設定内容と現在のポンプ状態（現場／遠方、運転／停止、故障）から起動／停止が可能な使用可能機器を判断し、この使用可能機器内でのポンプ容量毎の起動／停止順序を決定する使用可能機器判断部３５ｄとから構成されている。
【００１９】
また、負荷予測処理部３７は、流量計２９により検出された前日までの水の配水流量Ｑｎ（ｔ）を負荷実績値として記憶する負荷実績記憶部３７ａと、その負荷実績値および現在の負荷実績値に基づいて一定時間（例えば、１時間）後の負荷予測値を予測してこの負荷予測値を出力する予測演算部３７ｂと、現在の時刻を計時するタイマ部３７ｃとから構成されている。
【００２０】
優先ポンプ種別判断処理部３９は、使用可能機器と負荷予測値に基づいて、負荷変動に見合った最適な次に起動／停止すべき次起動／停止ポンプの容量種別を決定する。
【００２１】
台数制御処理部４１は、この次起動／停止ポンプの容量種別と使用可能機器に関する起動／停止順序に基づいて、起動／停止すべき負荷レベルを決定してポンプの台数制御を行う。
【００２２】
次に、図１〜図４を参照して、ポンプ台数制御装置３３の動作について説明する。
【００２３】
（１）使用可能機器判断処理部３５による使用可能なポンプごとの起動／停止順序の決定
まず、使用可能機器判断処理部３５では、オペレータにより異なるポンプ容量毎に使用するポンプの優先順位（１台目，２台目，…，休止）が入力部３５ａから入力され設定される。そして、大容量ポンプ優先順位設定記憶部３５ｂには、入力部３５ａから入力された大容量ポンプ１５−１〜１５−ｍ毎に使用する優先順位が記憶される。一方、小容量ポンプ優先順位設定記憶部３５ｃには、入力部３５ａから入力された小容量ポンプ１７−１〜１７−ｎ毎に使用する優先順位が記憶される。
【００２４】
さらに、使用可能機器判断部３５ｄには、大容量ポンプ優先順位設定記憶部３５ｂと小容量ポンプ優先順位設定記憶部３５ｃとによる設定内容と現在のポンプ状態（現場／遠方、運転／停止、故障）から起動／停止が可能な使用可能機器を判断し、この使用可能機器内でのポンプ容量毎の起動／停止順序を決定する。
【００２５】
（２）負荷予測処理部３７による負荷予測
流量計２９では、複数のポンプから吐出された流体の合流後の配管２７から配管３１に向かう水の流量を現在の負荷実績値として検出しており、流量計２９により検出された負荷実績値は負荷実績記憶部３７ａに記憶される。
【００２６】
ここで、負荷予測処理部３７では、タイマ部３７ｃから現在の時刻ｔを読み出しておき、負荷実績記憶部３７ａに記憶に記憶された前日までの負荷実績値を読み出し、流量計２９により検出された現在の負荷実績値に基づいて、一定時間Δｔ（例えば、１時間）後の負荷予測値を予測する。
【００２７】
すなわち、負荷予測処理部３７では、タイマ部３７ｃから現在の時刻ｔを読み出しておき、現在の時刻ｔに関する前日（ｎ−１）までの負荷実績値Ｑｎ−１（ｔ）と時刻ｔ＋Δｔ後の負荷実績値Ｑｎ−１（ｔ＋Δｔ）との平均値を算出して移動平均値を求め、この移動平均値と現在（ｎ）の負荷実績値Ｑｎ（ｔ）に基づいて、一定時間Δｔ後の負荷予測値を予測演算式（１）に従って演算して予測する。
【００２８】
【数１】
0004592221.tif 000002
この結果、現在の時刻に関する前日までの負荷実績値と現在の時刻から一定時間後の負荷実績値の移動平均値を算出して、この移動平均値と現在の負荷実績値に基づいて、一定時間後の負荷予測値を予測することで、前日までの負荷実績値の極端な変動成分を除外することができ、負荷予測値に関する予測精度を向上することができる。
【００２９】
この予測演算式（１）の具体的な例としては、以下の予測演算式（２）に従って行う。
【００３０】
【数２】
0004592221.tif 000003
予測演算式（２）では、時刻ｔ＋Δｔにおける日にち方向の相関係数ａ１，ａ２を用いて前日（ｎ−１）の移動平均値を補正し、時刻ｔにおける時間方向の相関係数ｂ１，ｂ２を用いて現在の負荷実績値を補正し、さらに、補正後の移動平均値と補正後の現在の負荷実績値に対して、比率係数ｋ１を用いて加重平均を求めた上で、負荷予測値を算出している。この結果、負荷予測値に関する予測精度を向上することができるため、季節変化や気温変化や天候変化などにより影響を受け易い配水の流量をより的確に予測することができる。
【００３１】
（３）優先ポンプ種別判断処理部３９による次起動／停止ポンプ種別の決定
優先ポンプ種別判断処理部３９では、図２に示すように、現在の負荷実績値Ｑｎ（ｔ）またはΔｔ後の負荷予測値が、上述したベース機（運転可能な任意に設定された１台）の容量の優先範囲（ｈ１）外になった場合には、（３−１）〜（３−３）式の優先判断を行って次起動／停止ポンプ種別を決定する。
【００３２】
【数３】
0004592221.tif 000004
すなわち、（３−１）では、現在の運転ポンプにおける最大吐出流量合計Ｑmax と小容量ポンプ１台の最大吐出流量との合計値が、予測演算部３７により予測された負荷予測値以下の場合には、大容量ポンプを起動した方が良いと判断されるので、次起動／停止ポンプとして大容量ポンプ１５を優先することと決定する。
【００３３】
また、（３−２）では、現在の運転ポンプにおける最大吐出流量合計Ｑmax から大容量ポンプ１台の最大吐出流量を減算した値が、予測演算部３７により予測された負荷予測値よりも小さい場合には、小容量ポンプを停止した方が良いと判断されるので、次起動／停止ポンプとして小容量ポンプ１７を優先することと決定する。
【００３４】
また、現在の運転ポンプにおける最大吐出流量合計Ｑmax と小容量ポンプ１台の最大吐出流量との合計値が、予測演算部３７により予測された負荷予測値以上の場合には、次起動／停止ポンプとして小容量ポンプ１７を優先することと決定する。
【００３５】
さらに、（３−３）では、現在の運転ポンプにおける最大吐出流量合計Ｑmax から大容量ポンプ１台の最大吐出流量を減算した値が、予測演算部３７により予測された負荷予測値以上の場合には、次起動／停止ポンプとして大容量ポンプ１５を優先することと決定する。
【００３６】
なお、ここでは大容量／小容量の２種類のポンプがあり、小容量ポンプは大容量ポンプの１／２の容量であることとする。
【００３７】
一方、現在の負荷実績値Ｑｎ（ｔ）または負荷予測値がベース機（１台）の優先範囲（ｈ１）内である場合は、下記の１台のポンプ運転時の運用に従ったポンプ台数制御を行う。
【００３８】
すなわち、例えば、１台の大容量ポンプのみが可変速ポンプである場合に、ベース機の優先範囲（ｈ１）内では、この大容量ポンプ（可変速ポンプ）を最低１台運転する。
【００３９】
また、例えば、大容量ポンプ／小容量ポンプ共に可変速ポンプであり、負荷に応じて大容量ポンプと小容量ポンプの置き換え運転を（４−１），（４−２）式に従って行う。
【００４０】
【数４】
0004592221.tif 000005
すなわち、（４−１）では、現在の負荷実績値Ｑｎ（ｔ）が、小容量ポンプ１台の最大吐出流量以下の場合には、次起動／停止ポンプとして小容量ポンプ１７（１台）を優先することと決定する。
【００４１】
また、（４−２）では、現在の負荷実績値Ｑｎ（ｔ）が、小容量ポンプ１台の最大吐出流量以上であり、かつ、大容量ポンプ１台の最大吐出流量以下である場合には、次起動／停止ポンプとして大容量ポンプ１７（１台）を優先することと決定する。
【００４２】
（４）台数制御処理部４１によるポンプの台数制御
台数制御処理部４１は、大容量ポンプを優先する場合には、次起動／停止ポンプの容量種別および使用可能機器に関する起動／停止順序に基づいて、図３に示すように、合成Ｑ−Ｈカーブ特性上において、配管３１に設けられた水圧計３０により検出された現在のポンプの吐出圧Ｈ、配水池１１に設けられた水位計１２により検出された配水池水位ｈから求めたポンプ運転点での最大吐出流量を求め、起動時の負荷レベル／停止時の負荷レベルを決定してポンプの台数制御を行う。
【００４３】
すなわち、流量計２９により検出された現在の負荷実績値が、図３に示すように、起動時の負荷レベルを超えた場合には、現在のポンプから次に指定された大容量ポンプを起動して運転を切り替える。一方、現在の負荷実績値が、停止時の負荷レベルより低くなった場合には、現在のポンプを停止して次に指定された大容量ポンプに運転を切り替える。
【００４４】
また、小ポンプ優先の場合には、次起動／停止ポンプの容量種別および使用可能機器に関する起動／停止順序に基づいて、図４に示すように、合成Ｑ−Ｈカーブ特性上において、現在のポンプの吐出圧Ｈ、配水池水位ｈから求めたポンプ運転点での最大吐出流量を求め、起動／停止時の負荷レベルを決定してポンプの台数制御を行う。
【００４５】
すなわち、流量計２９により検出された現在の負荷実績値が、図４に示すように、起動時の負荷レベルを超えた場合には、現在のポンプから次に指定された小容量ポンプを起動して運転を切り替える。一方、現在の負荷実績値が、停止時の負荷レベルより低くなった場合には、現在のポンプを停止して次に指定された小容量ポンプに運転を切り替える。
【００４６】
本実施の形態における効果は、一定時間後の負荷予測を行うことにより、今後の一定時間内での予測可能な負荷変動を推定し、この負荷変動に見合ったポンプ種別を選択してポンプの台数制御を行うようにすることで、負荷が安定しているときには必要以上の運転能力を有する大容量ポンプの運転／停止制御を回避して小容量ポンプの運転／停止制御となり、一方、負荷変動が大きいときには大容量ポンプの運転／停止制御となるので、負荷変動に対応する追従性がよく効率がよいポンプ運転を行うことができる。
【００４７】
また、最適なポンプ種別を自動選択できるようになるため、レベル制御で大容量ポンプと小容量ポンプを交互に増やす設定の場合に、例えば、直ぐに負荷レベルが２段階上がる状況が生じても不要なステップ動作をなくすことができ、ポンプの運転／停止を少なくするという効果もある。
【００４８】
【発明の効果】
請求項１記載の本発明によれば、異なる容量種別の複数のポンプから吐出された流体の流量を負荷値として検出し、この負荷実績値を記憶しておき、前日までの負荷実績値と現在の負荷実績値に基づいて、所定時間後の負荷予測値を予測し、現在の使用可能なポンプを判断して使用可能ポンプの容量と負荷予測値に基づいて、負荷変動に見合った最適な次の起動／停止ポンプの容量種別を判断して決定し、決定された次の起動／停止ポンプの容量種別と使用可能ポンプに関する起動／停止順序に基づいて、ポンプの容量別に設けられたＱ−Ｈ曲線を参照して起動／停止時の負荷レベルを決定してポンプ台数を制御することで、負荷値が安定しているときには必要以上の運転能力を有する大容量ポンプの運転／停止制御を回避して小容量ポンプの運転／停止制御となり、一方、負荷変動が大きいときには大容量ポンプの運転／停止制御となるので、負荷変動に対応する追従性がよく効率がよいポンプ運転を行うことができる。
【図面の簡単な説明】
【図１】本発明の一実施の形態に係るポンプ台数制御装置を適用可能なシステム構成を示す図である。
【図２】優先ポンプ種別判断処理について説明するための優先範囲を示す図である。
【図３】大ポンプ優先時の台数制御処理について説明するための優先範囲を示す図である。
【図４】小ポンプ優先時の台数制御処理について説明するための優先範囲を示す図である。
【図５】配水流量の日変化を示す図である。
【符号の説明】
１１  配水池
１５−１〜１５−ｍ  大容量ポンプ
１７−１〜１７−ｎ  小容量ポンプ
１９  流量調整弁
２１  流量調整弁
２３，２５，２７，３１
２９  流量計
３３  ポンプ台数制御装置
３５  使用可能機器判断処理部
３７  負荷予測処理部
３９  優先ポンプ種別判断処理部
４１  台数制御処理部
３５ａ  入力部
３５ｂ  大容量ポンプ優先順位設定記憶部
３５ｃ  小容量ポンプ優先順位設定記憶部
３５ｄ  使用可能機器判断部
３７ａ  負荷実績記憶部
３７ｂ  予測演算部
３７ｃ  タイマ部
３９  優先ポンプ種別判断処理部
４１  台数制御処理部
【図１】
0004592221.tif 000006
【図２】
0004592221.tif 000007
【図３】
0004592221.tif 000008
【図４】
0004592221.tif 000009
【図５】
0004592221.tif 000010